(57)【特許請求の範囲】
【請求項１】
便器に対して起立状態と倒伏状態との間を回動可能に設けられる便座及び便蓋と、
前記便座を回動させる便座駆動装置と、
前記便座駆動装置から前記便器の幅方向の一方側に延び、前記便座を回動自在に支持するとともに前記便蓋を支持する便座回動軸と、
前記便蓋を回動させる便蓋駆動装置と、
前記便蓋駆動装置から前記便器の幅方向の他方側に延び、前記便蓋を回動自在に支持するとともに前記便座を支持する便蓋回動軸と、を備え、
前記便座回動軸と前記便蓋回動軸とは、前記便器の幅方向に沿って、同一軸線上に配置され、
前記便座駆動装置及び前記便蓋駆動装置は、本体部の筐体部に収容され、
前記筐体部の上面には、支持台が固定され、
前記支持台には、前記便座駆動装置及び前記便蓋駆動装置が固定されていることを特徴とする便座便蓋装置。
【請求項２】
前記便座には、前記便座回動軸が配置される便座側嵌合孔及び前記便蓋回動軸が配置される便座側支持孔が形成され、
前記便蓋には、前記便座回動軸が配置される便蓋側支持穴及び前記便蓋回動軸が配置される便蓋側嵌合穴が形成され、
前記便座回動軸は、前記便座側嵌合孔に嵌合配置されて前記便座と共回り可能とされるとともに、前記便蓋側支持穴に摺動自在に配置され、
前記便蓋回動軸は、前記便座側支持孔に摺動自在に配置されるとともに、前記便蓋側嵌合穴に嵌合配置されて前記便蓋と共回り可能とされ、
前記便座回動軸は、前記便座側嵌合孔に配置され断面略長円状に形成された長円便座回動軸部と、前記便蓋側支持穴に配置され断面真円状に形成された真円便蓋回動軸部と、を有し、
前記便蓋回動軸は、前記便座側支持孔に配置され断面真円状に形成された真円便座回動軸部と、前記便蓋側嵌合穴に配置され断面略長円状に形成された長円便蓋回動軸部と、を有し、
前記便座側嵌合孔は、前記長円便座回動軸部の形状に対応した断面略長円状に形成され、
前記便座側支持孔は、前記真円便座回動軸部よりも僅かに大きい断面真円状に形成され、
前記便蓋側支持穴の少なくとも一部は、前記真円便蓋回動軸部よりも僅かに大きい断面真円状に形成され、
前記便蓋側嵌合穴の少なくとも一部は、前記長円便蓋回動軸部の形状に対応した断面略長円状に形成されている請求項１に記載の便座便蓋装置。
【発明の詳細な説明】
【技術分野】
【０００１】
本発明は、便座便蓋装置に関するものである。
【背景技術】
【０００２】
従来から、水洗式便器として、便器の上に設置される本体部と、本体部に対して回動可能に設けられた便座及び便蓋と、を備えたものが知られている（下記特許文献１参照）。
【０００３】
また、便座及び便蓋を電動で開閉させるものとして、一のユニット内に便座開閉用のモータ及び便蓋開閉用のモータが設けられ、便座開閉用のモータ及び便蓋開閉用のモータの両方に一の回動軸が連結され、便座及び便蓋が回動軸に軸支されたものが知られている。便座開閉用のモータまたは便蓋開閉用のモータが選択的に駆動されることで、便座または便蓋が開閉する構成とされている。
【０００４】
また、一のユニット内に便座開閉用のモータが設けられ、他のユニット内に便蓋開閉用のモータが設けられ、便座開閉用のモータに連結された便座の回動軸と便蓋開閉用のモータに連結された便蓋の回動軸とが、別々に設けられたものもある。一般的に、便蓋の回動軸が、便座の回動軸よりも後方に配置されている。
【先行技術文献】
【特許文献】
【０００５】
【特許文献１】特開２０１４−２１７７７９号公報
【発明の概要】
【発明が解決しようとする課題】
【０００６】
しかしながら、一の回動軸で便座及び便蓋を回動させる構成では、一のユニット内に便座開閉用のモータ及び便蓋開閉用のモータがまとめて設けられるため、ユニットが大型化するという問題点がある。
【０００７】
また、便座の回動軸と便蓋の回動軸とが別々の構成では、便蓋が便座の回動軸よりも後方（水洗式便器の着座者と反対側）まで延びるため、便蓋の前後方向の長さが大きくなり、便蓋が大型化してしまうという問題点がある。
【０００８】
そこで、本発明は、上記事情に鑑みてなされたものであり、コンパクトに構成することができる便座便蓋装置を提供する。
【課題を解決するための手段】
【００１１】
また、本発明に係る便座便蓋装置は、便器に対して起立状態と倒伏状態との間を回動可能に設けられる便座及び便蓋と、前記便座を回動させる便座駆動装置と、前記便座駆動装置から前記便器の幅方向の一方側に延び、前記便座を回動自在に支持するとともに前記便蓋を支持する便座回動軸と、前記便蓋を回動させる便蓋駆動装置と、前記便蓋駆動装置から前記便器の幅方向の他方側に延び、前記便蓋を回動自在に支持するとともに前記便座を支持する便蓋回動軸と、を備え、前記便座回動軸と前記便蓋回動軸とは、前記便器の幅方向に沿って、同一軸線上に配置され、前記便座駆動装置及び前記便蓋駆動装置は、本体部の筐体部に収容され、前記筐体部の上面には、支持台が固定され、前記支持台には、前記便座駆動装置及び前記便蓋駆動装置が固定されていることを特徴とする。
【００１３】
また、本発明に係る便座便蓋装置は、前記便座には、前記便座回動軸が配置される便座側嵌合孔及び前記便蓋回動軸が配置される便座側支持孔が形成され、前記便蓋には、前記便座回動軸が配置される便蓋側支持穴及び前記便蓋回動軸が配置される便蓋側嵌合穴が形成され、前記便座回動軸は、前記便座側嵌合孔に嵌合配置されて前記便座と共回り可能とされるとともに、前記便蓋側支持穴に摺動自在に配置され、前記便蓋回動軸は、前記便座側支持孔に摺動自在に配置されるとともに、前記便蓋側嵌合穴に嵌合配置されて前記便蓋と共回り可能とされ、前記便座回動軸は、前記便座側嵌合孔に配置され断面略長円状に形成された長円便座回動軸部と、前記便蓋側支持穴に配置され断面真円状に形成された真円便蓋回動軸部と、を有し、前記便蓋回動軸は、前記便座側支持孔に配置され断面真円状に形成された真円便座回動軸部と、前記便蓋側嵌合穴に配置され断面略長円状に形成された長円便蓋回動軸部と、を有し、前記便座側嵌合孔は、前記長円便座回動軸部の形状に対応した断面略長円状に形成され、前記便座側支持孔は、前記真円便座回動軸部よりも僅かに大きい断面真円状に形成され、前記便蓋側支持穴の少なくとも一部は、前記真円便蓋回動軸部よりも僅かに大きい断面真円状に形成され、前記便蓋側嵌合穴の少なくとも一部は、前記長円便蓋回動軸部の形状に対応した断面略長円状に形成されていてもよい。
【００１４】
このように構成された便座便蓋装置では、便座回動軸は便座に形成された便座側嵌合孔に嵌合配置されて便座と共回り可能とされているため、便座回動軸が回動する際には、便座回動軸とともに便座が回動する。また、便蓋回動軸は便座に形成された便座側支持孔に摺動自在に配置されているため、便座は便蓋回動軸周りを摺動する。よって、便座は、起立状態と倒伏状態との間を滑らかに回動する。
また、便蓋回動軸は便蓋に形成された便蓋側嵌合穴に嵌合配置されて便蓋と共回り可能とされているため、便蓋回動軸が回動する際には、便蓋回動軸とともに便蓋が回動する。また、便座回動軸は便蓋に形成された便蓋側支持穴に摺動自在に配置されているため、便蓋は便座回動軸周りを摺動する。よって、便蓋は、起立状態と倒伏状態との間を滑らかに回動する。
また、便座回動軸の長円便座回動軸部は、長円便座回動軸部の形状に対応した断面略長円状に形成された便座側嵌合孔に嵌合配置されている。よって、便座回動軸が回動する際には、便座回動軸とともに便座が確実に回動する。また、便蓋回動軸の真円便座回動軸部は、真円便蓋回動軸部よりも僅かに大きい断面真円状に形成された便座側支持孔に摺動自在に配置されている。よって、便座は便蓋回動軸周りを確実に摺動する。
また、便蓋回動軸の長円便蓋回動軸部は、少なくとも一部が長円便蓋回動軸部の形状に対応した断面略長円状に形成された便蓋側嵌合穴に嵌合配置されている。よって、便蓋回動軸が回動する際には、便蓋回動軸とともに便蓋が確実に回動する。また、便座回動軸の真円便蓋回動軸部は、少なくとも一部が真円便座回動軸部よりも僅かに大きい断面真円状に形成された便蓋側支持穴に摺動自在に配置されている。よって、便蓋は便座回動軸周りを確実に摺動する。
【発明の効果】
【００１５】
本発明に係る便座便蓋装置によれば、コンパクトな構成とすることができる。
【図面の簡単な説明】
【００１６】
【図１】本発明の一実施形態に係る便座便蓋装置を備えた水洗式便器の斜視図である。
【図２】本発明の一実施形態に係る便座便蓋装置の斜視図である。
【図３】図２のＡ−Ａ断面図である。
【図４】本発明の一実施形態に係る便座便蓋装置の便座回動軸の斜視図である。
【図５】本発明の一実施形態に係る便座便蓋装置の便蓋回動軸の斜視図である。
【図６】本発明の一実施形態に係る便座便蓋装置の便座の斜視図である。
【図７】本発明の一実施形態に係る便座便蓋装置の便座の斜視図である。
【図８】本発明の一実施形態に係る便座便蓋装置の便座及び便蓋が閉じた状態において、便座回動軸付近の断面図である。
【図９】本発明の一実施形態に係る便座便蓋装置の便蓋の斜視図である。
【図１０】本発明の一実施形態に係る便座便蓋装置の便蓋の斜視図である。
【図１１】本発明の一実施形態に係る便座便蓋装置の便座及び便蓋が閉じた状態において、便蓋回動軸付近の断面図である。
【図１２】本発明の一実施形態に係る便座便蓋装置の便座が閉じて便蓋が開いた状態において、便蓋回動軸付近の断面図である。
【図１３】本発明の一実施形態に係る便座便蓋装置の便座が閉じて便蓋が開いた状態において、便座回動軸付近の断面図である。
【図１４】本発明の一実施形態に係る便座便蓋装置の便座及び便蓋が開いた状態において、便座回動軸付近の断面図である。
【図１５】本発明の一実施形態に係る便座便蓋装置の便座及び便蓋が開いた状態において、便蓋回動軸付近の断面図である。
【発明を実施するための形態】
【００１７】
本発明の一実施形態である便座装置について説明する。
図１は、本発明の一実施形態に係る便座便蓋装置を備えた水洗式便器の斜視図である。
図１に示すように、水洗式便器１００は、陶器製の便器本体（便器）１と、便器本体１に設置された便座ユニット（便座便蓋装置）２と、を備えている。
【００１８】
（便座ユニット）
図２は、便座ユニット２の斜視図である。
図１及び図２に示すように、便座ユニット２は、便器本体１の後部の上面に取り付けられる本体部３と、本体部３に対して回動可能に設けられた便座６及び便蓋７と、を有している。
ここで、便座６に着座する使用者の顔が向く方向を前側とし、便座６に着座する使用者の背中が向く方向を後側とする。この前後方法に直交する水平方向を左右方向（水洗式便器１００の幅方向）として、使用者から見て右側（幅方向の一方側）を右側とし、使用者から見て左側（幅方向の他方側）を左側とする。
【００１９】
（本体部）
本体部３は、便座６を回動させる便座モータ（便座駆動装置）３１と、便座モータ３１に連結された便座回動軸４０と、便蓋７を回動させる便蓋モータ（便蓋駆動装置）３２と、便蓋モータ３２に連結された便蓋回動軸５０と、便座モータ３１、便座回動軸４０、便蓋モータ３２、便蓋回動軸５０を収容する筐体部３３と、を有している。
【００２０】
図３は、図２のＡ−Ａ断面図である。
図３に示すように、筐体部３３の上面３３Ａの裏側において、右側には支持台３４が螺子３４Ｓで固定され、左側には支持台３５が螺子３５Ｓで固定されている。支持台３４，３５は、左右方向に離間して配置されている。
【００２１】
支持台３４には便座モータ３１が不図示の螺子により固定され、支持台３５には便蓋モータ３２が不図示の螺子により固定されている。このように、便座モータ３１と便蓋モータ３２とは、互いに左右方向に離間して設けられている。
【００２２】
（便座回動軸）
図４は、便座回動軸４０の斜視図である。図５は、便蓋回動軸５０の斜視図である。
図３及び図４に示すように、便座回動軸４０は、便座モータ３１に連結され右側に延びる基端軸部４１と、基端軸部４１に連続して右側に延びる便座嵌合軸部（長円便座回動軸部）４２と、便座嵌合軸部４２に連続して右側に延びる便蓋支持軸部（真円便蓋回動軸部）４３と、を有している。
【００２３】
基端軸部４１は、断面視円形状に形成されている。便座嵌合軸部４２は、断面視略長円状に形成されている。図２に示す便座６及び便蓋７が閉じた状態で便座嵌合軸部４２は、上下方向に長い略長円状をなしている。
【００２４】
図４に示すように、便座嵌合軸部４２は、互いに離間して配置され（図２に示す状態で前後方向に離間して配置され）平面状に形成された一対の平面部４２Ａと、一対の平面部４２Ａの端部同士を連結し曲面状に形成された曲面部４２Ｂと、を有している。
【００２５】
便蓋支持軸部４３は、断面視真円状に形成されている。便蓋支持軸部４３の中心軸と便座嵌合軸部４２の中心軸とは、左右方向に沿って、同一軸線Ｏ１上に配置されている。
【００２６】
（便蓋回動軸）
図３及び図５に示すように、便蓋回動軸５０は、便蓋モータ３２に連結され左側に延びる基端軸部５１と、基端軸部５１に連続して左側に延びる便座支持軸部（真円便座回動軸部）５２と、便座支持軸部５２に連続して左側に延びる便蓋嵌合軸部（長円便蓋回動軸部）５３と、を有している。
【００２７】
基端軸部５１は、断面視円形状に形成されている。便座支持軸部５２は、断面視真円状に形成されている。便蓋嵌合軸部５３は、断面視略長円状に形成されている。図２に示す便座６及び便蓋７が閉じた状態で便蓋嵌合軸部５３は、前後方向に長い略長円状をなしている。
【００２８】
図５に示すように、便蓋嵌合軸部５３は、互いに離間して配置され（図２に示す状態で上下方向に離間して配置され）平面状に形成された一対の平面部５３Ａと、一対の平面部５３Ａの端部同士を連結し曲面状に形成された曲面部５３Ｂと、を有している。便蓋嵌合軸部５３の中心軸と便座支持軸部５２の中心軸とは、左右方向に沿って、同一軸Ｏ１線上に配置されている。
【００２９】
図２及び図３に示すように、便座モータ３１、便蓋モータ３２、便座回動軸４０及び便蓋回動軸５０は、左右方向に沿って、同一軸線Ｏ１上に配置されている。
【００３０】
（便座）
図６は、便座６を左側から見た斜視図である。図７は、便座６を右側から見た斜視図である。
図６及び図７に示すように、便座６は、平面視略環状に形成されている、便座６の後部の左右両側には、後方に延出した軸支持腕部６０Ｒ，６０Ｌが設けられている。
【００３１】
軸支持腕部６０Ｒは、便座６の後部の右側から後方に延びている。軸支持腕部６０Ｒには、左右方向に貫通する貫通孔６１Ｒが形成されている。
【００３２】
軸支持腕部６０Ｒの貫通孔６１Ｒは、内側（左側）の内側孔部６２Ｒと、外側（右側）の外側孔部（便座側嵌合孔）６３Ｒとが連通して形成されている。
【００３３】
内側孔部６２Ｒは、便座回動軸４０の基端軸部４１（図４参照。以下同じ。）の形状に対応して断面視円形状に形成されている。
【００３４】
外側孔部６３Ｒは、便座回動軸４０の便座嵌合軸部４２（図４参照。以下同じ。）の形状に対応して、断面視長円状に形成されている。便座６が閉じた状態で、外側孔部６３Ｒは、上下方向に長い略長円状をなしている。換言すると、外側孔部６３Ｒは、互いに前後方向に離間して配置され平面状に形成された一対の平面部６３Ａと、一対の平面部６３Ａの端部同士を連結し曲面状に形成された曲面部６３Ｂとで形成されている。
【００３５】
図８は、便座６及び便蓋７が閉じた状態において、便座回動軸４０の便座嵌合軸部４２付近の断面図である。
図８に示すように、便座回動軸４０の便座嵌合軸部４２は、外側孔部６３Ｒに嵌合されている。詳細には、便座嵌合軸部４２は、外側孔部６３Ｒの一対の平面部６３Ａ及び一対の曲面部６３Ｂにより嵌合されている。これにより、便座６は便座回動軸４０と共回り可能とされている。
【００３６】
図６及び図７に示すように、軸支持腕部６０Ｌの貫通孔６１Ｌは、内側（右側）の内側孔部６２Ｌと、外側（左側）の外側孔部６３Ｌとが連通して形成されている。
【００３７】
内側孔部６２Ｌは、便蓋回動軸５０の基端軸部５１（図５参照。以下同じ。）の形状に対応して断面視円形状に形成されている。
【００３８】
外側孔部（便座側支持孔）６３Ｌは、便蓋回動軸５０の便座支持軸部５２（図５参照。以下同じ。）の形状よりも僅かに大きい断面視真円状に形成されている。これにより、便蓋回動軸５０の便座支持軸部５２は、外側孔部６３Ｌ内を摺動可能とされている。
【００３９】
（便蓋）
図９は、便蓋７を左下方から見た斜視図である。図１０は、便蓋７を右下方から見た斜視図である。
図９及び図１０に示すように、便蓋７は、上面を形成する上面部７１と、上面部７１の縁部から下方に垂下する側壁部７２と、を有している。上面部７１の左右両側には、後方に延出した後方延出部７３Ｒ，７３Ｌが設けられている。また、側壁部７２の後部にも、後方に延出した軸支持壁部７４Ｒ，７４Ｌが設けられている。
【００４０】
軸支持壁部７４Ｒ，７４Ｌの内面（幅方向内側の面）には、それぞれ反対側の軸支持壁部７４Ｌ，７４Ｒに向かって膨らんだ膨出部７５Ｒ，７５Ｌがそれぞれ設けられている。膨出部７５Ｒ，７５Ｌの下方には、膨出部７５Ｒ，７５Ｌと隣接して前後方向にスライド可能なスライド部７６Ｒ，７６Ｌが設けられている。膨出部７５Ｒ，７５Ｌの下端には、左右方向に延びる支持穴（便蓋側支持穴）８０Ｒ及び嵌合穴（便蓋側嵌合穴）８０Ｌがそれぞれ形成されている。
【００４１】
図９に示すように、便蓋７が閉じた状態で、支持穴８０Ｒの上部８１Ａは、上方に向かって膨らむ断面視真円状に形成されている。支持穴８０Ｒの上部８１Ａは、便座回動軸４０の便蓋支持軸部４３（図４参照。以下同じ。）の形状よりも僅かに大きいに断面視真円状とされている。
【００４２】
支持穴８０Ｒの下部は、上部８１Ａに連続した形状であり、前後方向に離間して配置され平面状に形成された一対の平面部８１Ｂで形成されている。一対の平面部８１Ｂの離間距離は、便座回動軸４０の便蓋支持軸部４３の直径よりも僅かに長い。これにより、便座回動軸４０の便蓋支持軸部４３は、支持穴８０Ｒ内を摺動可能とされている。
【００４３】
図１０に示すように、嵌合穴８０Ｌの上部は、便蓋回動軸５０の便蓋嵌合軸部５３（図５参照。以下同じ。）に対応した形状とされている。嵌合穴８０Ｌの上部は、前後方向に離間して配置され曲面状に形成された一対の曲面部８１Ｃ、及び曲面部８１Ｃの上部同士を連結し平面状に形成された上平面部８１Ｄで形成されている。曲面部８１の下部には、平面状に形成された下平面部８１Ｅが連続して設けられている。
【００４４】
図１１は、便座６及び便蓋７が閉じた状態において、便蓋回動軸５０の便蓋嵌合軸部５３付近の断面図である。
図１１に示すように、便蓋回動軸５０の便蓋嵌合軸部５３は、嵌合穴８０Ｌに嵌合されている。詳細には、便蓋嵌合軸部５３は、一対の曲面部８１Ｃ、上平面部８１Ｄ及びスライド部７６Ｌの上面により嵌合されている。これにより、便蓋７は便蓋回動軸５０と共回り可能とされている。
【００４５】
図９及び図１０に示す位置からスライド部７６Ｒ，７６Ｌを前方に移動させた状態で、支持穴８０Ｒ及び嵌合穴８０Ｌに、それぞれ便座回動軸４０及び便蓋回動軸５０を挿入する。そして、図８及び図９に示す位置までスライド部７６Ｒ，７６Ｌを後方にスライドさせることで、便座回動軸４０及び便蓋回動軸５０は、便蓋７に支持されている。
【００４６】
図１に示す便座ユニット２とは別にまたは便座ユニット２自体に、操作部（不図示。以下同じ。）が設けられている。操作部には、便座６及び便蓋７の開閉を操作する入力部（不図示。以下同じ。）が設けられている。
【００４７】
便座ユニット２内には、制御部（不図示。以下同じ。）が設けられている。制御部は、入力部からの便座６の開信号、閉信号が入力されると、便座モータ３１（図２参照。以下同じ。）に開動作信号、閉動作信号を出力する。また、制御部は、入力部からの便蓋７の開信号、閉信号が入力されると、便蓋モータ３２（図２参照。以下同じ。）に開動作信号、閉動作信号を出力する。
【００４８】
次に、上記の便座ユニット２の動作について説明する。
図８及び図１１に示すように、便座６及び便蓋７が閉じた状態（倒伏状態）から、使用者が、入力部に便蓋７を開ける操作を入力すると、入力部は便蓋７の開信号を制御部に出力する。制御部は、便蓋モータ３２に開動作信号を出力する。
【００４９】
図１２は、便座６が閉じて便蓋７が開いた状態において、便蓋回動軸５０付近の断面図である。図１３は、便座６が閉じて便蓋７が開いた状態において、便座回動軸４０付近の断面図である。
便蓋モータ３２は、開動作信号が入力されると、便蓋回動軸５０を開方向に回動させる。これにより、図１２に示すように、便蓋回動軸５０の便蓋嵌合軸部５３に嵌合された便蓋７は、便蓋回動軸５０とともに回動して開く。一方、図１３に示すように、便座回動軸４０側では、便座回動軸４０の便蓋支持軸部４３に支持された便蓋７は、便蓋支持軸部４３の周りを摺動する。
【００５０】
使用者が、入力部に便座６を開ける操作を入力すると、入力部は便座６の開信号を制御部に出力する。制御部は、便座モータ３１に開動作信号を出力する。
【００５１】
図１４は、便座６及び便蓋７が開いた状態において、便座回動軸４０付近の断面図である。図１５は、便座６及び便蓋７が開いた状態において、便蓋回動軸５０付近の断面図である。
便座モータ３１は、開動作信号が入力されると、便座回動軸４０を開方向に回動させる。これにより、図１４に示すように、便座回動軸４０の便座嵌合軸部４２に嵌合された便座６は、便座回動軸４０とともに回動して開く。一方、図１５に示すように、便蓋回動軸５０側では、便蓋回動軸５０の便座支持軸部５２に支持された便座６は、便座支持軸部５２の周りを摺動する。
【００５２】
この便座６及び便蓋７が開いた状態（起立状態）において、使用者が入力部に便座６を閉じる操作を入力すると、入力部は便座６の閉信号を制御部に出力する。制御部は、便座モータ３１に閉動作信号を出力する。
【００５３】
便座モータ３１は、閉動作信号が入力されると、便座回動軸４０を閉方向に回動させる。これにより、図１３に示すように、便座回動軸４０の便座嵌合軸部４２に嵌合された便座６は、便座回動軸４０とともに回動して閉じる。一方、図１２に示すように、便蓋回動軸５０側では、便蓋回動軸５０の便座支持軸部５２に支持された便座６は、便座支持軸部５２の周りを摺動する。
【００５４】
使用者が入力部に便蓋７を閉じる操作を入力すると、入力部は便蓋７の閉信号を制御部に出力する。制御部は、便蓋モータ３２に閉動作信号を出力する。
【００５５】
便蓋モータ３２は、閉動作信号が入力されると、便蓋回動軸５０を閉方向に回動させる。これにより、図１１に示すように、便蓋回動軸５０の便蓋嵌合軸部５３に嵌合された便蓋７は、便蓋回動軸５０とともに回動して閉じる。一方、図８に示すように、便座回動軸４０側では、便座回動軸４０の便蓋支持軸部４３に支持された便蓋７は、便蓋支持軸部４３の周りを摺動する。
【００５６】
なお、便座６及び便蓋７が閉じた状態から、使用者が、便蓋７を開ける操作を入力せずに便座６を開ける操作を入力することで、便座６及び便蓋７が同時に開く構成であってもよい。また、便座６及び便蓋７が開いた状態から、使用者が、便座６を閉じる操作を入力せずに便蓋７を閉じる操作を入力することで、便座６及び便蓋７が同時に閉じる構成であってもよい。
【００５７】
このように構成された水洗式便器１００では、便座６を回動自在に支持する便座回動軸４０及び便蓋７を回動自在に支持する便蓋回動軸５０は、水洗式便器１００の左右方向に沿って、同一軸線Ｏ１上に配置されている。よって、便座回動軸４０と便蓋回動軸５０とが、水洗式便器１００の左右方向に沿って、同一軸線Ｏ１上に配置されていない場合よりも、水洗式便器１００の前後方向の長さや、本体部３の高さを抑えた構成とすることができる。
また、便座回動軸４０を回動させる便座モータ３１と便蓋回動軸５０を回動させる便蓋モータ３２とは左右方向に離間して配置されているため、本体部３内の一箇所に便座モータ及び便蓋モータをまとめて設置するよりも、本体部３の高さや幅等の大きさを抑えた構成とすることができる。
したがって、水洗式便器１００の前後方向の長さや、高さ、大きさを抑えて、全体としてコンパクトな構成とすることができる。
【００５８】
また、便座回動軸４０は便座６に形成された外側孔部６３Ｒに嵌合配置されているため、便座回動軸４０が回動する際には、便座回動軸４０とともに便座６が回動する。また、便蓋回動軸５０は便座６に形成された外側孔部６３Ｌに摺動自在に配置されているため、便座６は便蓋回動軸５０周りを摺動する。よって、便座６は、起立状態と倒伏状態との間を滑らかに回動する。
【００５９】
また、便蓋回動軸５０は便蓋７に形成された嵌合穴８０Ｌに嵌合配置されているため、便蓋回動軸５０が回動する際には、便蓋回動軸５０とともに便蓋７が回動する。また、便座回動軸４０は便蓋７に形成された支持穴８０Ｒに摺動自在に配置されているため、便蓋７は便座回動軸４０周りを摺動する。よって、便蓋７は、起立状態と倒伏状態との間を滑らかに回動する。
【００６０】
便座回動軸４０の便座嵌合軸部４２は、便座嵌合軸部４２の形状に対応した断面略長円状に形成された外側孔部６３Ｒに嵌合配置されている。よって、便座回動軸４０が回動する際には、便座回動軸４０とともに便座６が確実に回動する。また、便蓋回動軸５０の便座支持軸部５２は、便蓋支持軸部４３よりも僅かに大きい断面真円状に形成された外側孔部６３Ｒに摺動自在に配置されている。よって、便座６は便蓋回動軸５０周りを確実に摺動する。
【００６１】
また、便蓋回動軸５０の便蓋嵌合軸部５３は、少なくとも一部が便蓋嵌合軸部５３の形状に対応した断面略長円状に形成された嵌合穴８０Ｌに嵌合配置されている。よって、便蓋回動軸５０が回動する際には、便蓋回動軸５０とともに便蓋７が確実に回動する。また、便座回動軸４０の便蓋支持軸部４３は、少なくとも一部が便蓋支持軸部４３よりも僅かに大きい断面真円状に形成された支持穴８０Ｒに摺動自在に配置されている。よって、便蓋７は便座回動軸４０周りを確実に摺動する。
【００６２】
なお、本発明に係る水洗式便器１００は、上述した実施形態に限定されるものではなく、本発明の要旨を逸脱しない範囲で適宜の変更や置換等が可能である。
【符号の説明】
【００６３】
１…便器本体（便器）
２…便座ユニット（便座便蓋装置）
３…本体部
６…便座
７…便蓋
３１…便座モータ（便座駆動装置）
３２…便蓋モータ（便蓋駆動装置）
３３…筐体部
４０…便座回動軸
４１…基端軸部
４２…便座嵌合軸部（長円便座回動軸部）
４３…便蓋支持軸部（真円便蓋回動軸部）
５０…便蓋回動軸
５１…基端軸部
５２…便座支持軸部（真円便座回動軸部）
５３…便蓋嵌合軸部（長円便蓋回動軸部）
６０Ｒ，６０Ｌ…軸支持腕部
６１Ｒ，６１Ｌ…貫通孔
６２Ｒ，６２Ｌ…内側孔部
６３Ｒ…外側孔部（便座側嵌合孔）
６３Ｌ…外側孔部（便座側支持孔）
７５Ｒ，７５Ｌ…膨出部
７６Ｒ，７６Ｌ…スライド部
８０Ｒ…支持穴（便蓋側支持穴）
８０Ｌ…嵌合穴（便蓋側嵌合穴）
１００…水洗式便器
Ｏ１…軸線
【図１】
0006737599.tif 000002
【図２】
0006737599.tif 000003
【図３】
0006737599.tif 000004
【図４】
0006737599.tif 000005
【図５】
0006737599.tif 000006
【図６】
0006737599.tif 000007
【図７】
0006737599.tif 000008
【図８】
0006737599.tif 000009
【図９】
0006737599.tif 000010
【図１０】
0006737599.tif 000011
【図１１】
0006737599.tif 000012
【図１２】
0006737599.tif 000013
【図１３】
0006737599.tif 000014
【図１４】
0006737599.tif 000015
【図１５】
0006737599.tif 000016